(57)【要約】【課題】飼育容器本体の上面開口が安定した状態で上蓋により覆われることはもとより、上蓋の飼育容器本体の上面開口への設置作業を行い易くする上蓋支持具を提供する。【解決手段】上面が開口した飼育容器側壁５４上縁部に係止される上蓋支持具Ａであって、側壁５４上縁部に係止される係止部水平部３から、内に向かって水平方向に突出する上蓋挟み込み部上片４及び下片５が突設されている。前記係止部水平部３に、側壁上縁に係止された状態のもとで、側壁５４と挟み込み部４、５との間に照明器具支持具の係止部１１が挿入される切欠７が設けられている。予め上蓋Ａ１の両側縁に一対の上蓋支持具Ａ、Ａを取り付けておいて、該上蓋支持具Ａ、Ａを上蓋ごと飼育容器本体Ｓに係止させることができる。【選択図】      図１
2004357614.tif 000002
【特許請求の範囲】
【請求項１】
上面が開口した飼育容器本体側壁上縁部に係止される上蓋支持具において、
飼育容器本体側壁上縁部に係止される係止部の水平部から、内に向かって水平方向に突出する上蓋挟み込み部が突設されてなることを特徴とする上蓋支持具。
【請求項２】
前記係止部の水平部に、側壁上縁に係止された状態のもとで、側壁と挟み込み部との間に照明器具支持具の係止部が挿入される切欠が設けられている請求項１に記載の上蓋支持具。
【請求項３】
前記挟み込み部が、係止部上方に設けられかつ係止部水平部との間に隙間が設けられてなる請求項１に記載の上蓋支持具。
【請求項４】
飼育容器本体の開口面に、飼育容器の側壁上縁部に係止された上蓋支持具を介して上蓋が着脱自在に設けられてなる飼育容器において、
前記上蓋支持具が、飼育容器側壁上縁部に係止される係止部の水平部から、内に向かって水平方向に突出する上蓋挟み込み部が突設されてなるものであることを特徴とする飼育容器。
【請求項５】
前記上蓋支持具の水平部に、側壁上縁に係止された状態のもとで、側壁と挟み込み部との間に照明器具等の飼育容器附属品用支持具の係止部が挿入される切欠が設けられている請求項４に記載の飼育容器。
【請求項６】
前記挟み込み部が、係止部上方に設けられかつ係止部水平部との間に隙間が設けられてなる請求項５に記載の飼育容器。
【発明の詳細な説明】
【０００１】
【発明の属する技術分野】
この発明は、熱帯魚、昆虫等の生物の飼育容器における上蓋支持具及びこの上蓋支持具が用いられた上蓋付き飼育容器に関する。
【０００２】
【従来の技術】
従来、この種の上蓋支持具として、図９及び図１０に示すように、上面が開口した飼育容器本体（Ｓ）のコーナー部上縁あるいは側壁上縁に、側壁の内外面を跨ぐ内外一対の係止用脚片（５１）（５２）により係止されるようになされた上蓋支持具（Ｅ）（Ｆ）が公知である（特開平１０−３２７７０２号公報参照）。
【０００３】
これらの上蓋支持具（Ｅ）（Ｆ）は、いずれも内側の係止用脚部（５１）に内方に向かって突出する上蓋載置部（５３）が突設され、該上蓋載置部（５３）に上蓋（Ｅ１）（Ｆ１）を載置するものとなされているものである。
【０００４】
【特許文献１】
特開平１０−３２７７０２号公報（第２頁、図２及び図４）
【０００５】
【発明が解決しようとする課題】
ところで、飼育容器本体開口が上蓋によって覆われることの目的のひとつは、飼育容器本体（Ｓ）上方からの塵埃やその他の異物の飼育容器本体への落下、進入及び生体の飛び出しを防止することにあるが、上蓋が飼育容器本体開口を完全に覆った密封状態は、飼育容器中のあるいは飼育容器内の水中の酸素不足をもたらしてしまうことになる。
【０００６】
従って、上記上蓋支持具（Ｅ）（Ｆ）も、そのような酸素不足をもたらすことがないように配慮されているものではあるが、それでもなお、次のような欠点があることがわかった。
【０００７】
すなわち、第９図に示すコーナー用上蓋支持具（Ｅ）は、上蓋（Ｅ１）と飼育容器本体側壁（５４）（５４）…との位置関係が、上蓋（Ｅ１）の下面が側壁（５４）（５４）…の上面より僅かに下方に位置すると共に側壁（５４）…との間隔もエアーポンプのチューブが挿入できる程度の僅かな間隔に設定されているので、上蓋（Ｅ１）の上蓋支持具（Ｅ）への載置がいさかさ行い難い。
【０００８】
第１０図に示す上蓋支持具（Ｆ）は、飼育容器本体（Ｓ）の上面開口の一部を覆うための上蓋（Ｆ１）用のもので、飼育容器本体（Ｓ）の上面開口の他の部分には、照明器具等が設置されることになるものである。従って、この上蓋支持具（Ｆ）においては、第９図に示す上蓋支持具（Ｅ）のように上蓋を取付難くなるようなことはないが、取付操作中に誤って上蓋（Ｆ１）を飼育容器内に落下させてしまうことがある。
【０００９】
この発明は、このような課題を解決することを目的としてなされたもので、飼育容器本体の上面開口が安定した状態で上蓋により覆われることはもとより、上蓋の飼育容器本体の上面開口への設置作業を行い易くする上蓋支持具及び該上蓋支持具が用いられた上蓋付き飼育容器を提供しようとするものである。
【００１０】
【課題を解決するための手段】
而して、上記目的を達成するために、第１の発明は、上面が開口した飼育容器本体側壁上縁部に係止される上蓋支持具において、飼育容器本体側壁上縁部に係止される係止部の水平部から、内に向かって水平方向に突出する上蓋挟み込み部が突設されてなることを特徴とする上蓋支持具を要旨とする。
【００１１】
この発明によれば、飼育容器本体側壁上縁部に係止される係止部の水平部から、内に向かって水平方向に突出する上蓋挟み込み部が突設されているので、予め上蓋の両側縁に一対の上蓋支持具を取り付けておいて、該上蓋支持具を上蓋ごと飼育容器本体に係止させることができ、飼育容器本体の上面開口が安定した状態で上蓋により覆われることはもとより、上蓋と飼育容器側壁との隙間の距離に拘わらず上蓋を飼育容器本体上面開口に設置しやすく、作業性の向上が図れる。
【００１２】
また、上蓋の対向する両側縁に一対の上蓋支持具を取り付けることにより、上蓋を飼育容器本体に設置することができるので、飼育容器本体コーナー部に４個の上蓋支持具を要するものに較べて部材点数を半分にすることができる。
【００１３】
前記係止部の水平部に、側壁上縁に係止された状態のもとで、側壁と挟み込み部との間に照明器具やエアーポンプ、水槽用ファン等の飼育容器の附属品用支持具の係止部が挿入される切欠が設けられていることが好ましい。上蓋と飼育容器本体側壁との隙間を可及的狭くして、附属品取付用フック等を側壁に取り付けることができない場合にも、照明器具を取り付けることができるからである。
【００１４】
前記挟み込み部が、係止部上方に設けられかつ係止部水平部との間に隙間が設けられてなる場合には、上蓋周縁と側壁との間に隙間を設ける必要がなくなるので、上蓋の大きさを飼育容器本体の一対の側壁上に跨るような大きさとして、上蓋上方からの塵埃やその他の異物の飼育容器本体内への落下、進入をより一層防止することができる。
【００１５】
第２の発明に係る飼育容器は、上記第１の発明に係る上蓋支持具が用いられて上蓋が取り付けられているので、第１の発明と同様の効果を奏する。
【００１６】
【発明の実施の形態】
以下、第１の発明に係る上蓋支持具を図面に基づいて説明する。第２の発明に係る飼育容器は、この上蓋支持具の説明により明らかになるであろう。
【００１７】
図１ないし図３は、第１の発明に係る上蓋支持具の一実施形態を示すもので、上蓋支持具（Ａ）は、若干の弾性を有する合成樹脂から作製され、飼育容器本体（Ｓ）側壁（５４）外面に当接する脚片（２）（２）を備えた係止部（１）（１）の水平部（３）から挟み込み部上片（４）が延設される一方、該挟み込み部上片（４）に対向する挟み込み部下片（５）が設けられている。この実施形態において、上蓋支持具（Ａ）は、合成樹脂製であるが、木製あるいは金属製であってもかまわない。
【００１８】
該挟み込み部下片（５）は、図２（ロ）に示すように挟み込み部上片（４）との間の間隔が、先端部は上蓋（Ａ１）の肉厚より僅かに狭く設定される一方、上蓋（Ａ１）の側縁が進入しやすいように、案内用斜面（６）が設けられている。
【００１９】
また、係止部（１）の水平部（３）には、側壁上縁に係止された状態のもとで、側壁（５４）と挟み込み部（４）（５）との間に後述する照明器具支持具（Ｇ）の係止部内脚部（１２ｂ）が挿入される切欠（７）が設けられている。
【００２０】
前記照明器具支持具（Ｇ）は、図４に示すように側壁上縁に係止される係止部（１１）の水平部（１３）から前記上蓋支持具（Ａ）の前記切欠（７）に挿入される内脚部（１２ｂ）と、飼育容器本体側壁（５４）の外面に当接する外脚部（１２ａ）とを有している。該外脚部（１２ａ）は、その幅方向中央部からさらに下方に向かって延長部（１２ｃ）が連設され、該延長部（１２ｃ）から外方に突出する照明器具受け台座部（１５）が突設されている。
【００２１】
照明器具受け台座部（１５）は、上面中央部に照明器具（Ｌ）の支持脚（１９）下端部が挿通される高さの低い円筒部（１４）が突設されており、その空洞部（１４ａ）は台座部（１５）下方の空間に連通している。照明器具支持脚（１９）は、図３に示すように、その下端部の雌ねじ部（１９ａ）が円筒部（１４）を貫通し、雌ねじ部（１４ａ）にナット（１６）がねじ合わされることにより、その起立姿勢が保たれている。
【００２２】
而して、この上蓋支持具（Ａ）を用いて上蓋（Ａ１）を飼育容器本体（Ｓ）上面開口に設置するに際しては、先ず、上蓋（Ａ１）の一対の対向側縁に各々上蓋支持具（Ａ）（Ａ）を取り付ける。この取付は、先に説明したように、上蓋（Ａ１）の一側縁を上蓋支持具挟み込み部下片（５）の案内用斜面（６）に強く押しつけて挟み込み部上下両片（４）（５）間を拡開させて該挟み込み部上下両片（４）（５）間に進入させることによって行われる。
【００２３】
その後、上蓋支持具（Ａ）（Ａ）を上蓋（Ａ１）に押しつけるようにしながら上蓋（Ａ１）と一緒に手に持って、係止部（１）（１）を対応する飼育容器本体側壁（５４）（５４）に係止させることにより、上蓋（Ａ１）が飼育容器本体上面開口に設置されることになる。
【００２４】
次に、一方の上蓋支持具（Ａ）の切欠（７）に照明器具支持具（Ｇ）の内脚部（１２ｂ）を嵌め込むことにより、照明器具支持具（Ｇ）の飼育容器本体側壁（５４）に対する所期する取付状態が得られる。この照明器具支持具（Ｇ）に支持される照明器具（Ｌ）の取付は、照明器具支持具（Ｇ）を飼育容器本体側壁（５４）に取り付けた後であっても、あるいは予め照明器具（Ｌ）を照明器具支持具（Ｇ）に取り付けたものとしてもどちらでもかまわない。
【００２５】
図５ないし図８は、第１の発明に係る上蓋支持具の他の実施形態を示すもので、上蓋支持具（Ｂ）は、若干の弾性を有する合成樹脂から作製され、飼育容器本体側壁（５４）外面に当接する左右一対の外脚片（２２ａ）（２２ａ）と容器本体側壁（５４）内面に当接する内脚片（２２ｂ）と、側壁（５４）上縁に載置される水平部（２２）とからなる係止部（２１）を備えている。この係止部（２１）の上方に上蓋（Ｂ１）の側縁を挟み込む挟み込み部上下両片（２４）（２５）が設けられている。挟み込み部下片（２５）は、先の実施形態の挟み込み部下片（５）と同様に、図２（ロ）に示すように挟み込み部上片（２４）との間の間隔が、先端部において上蓋（Ｂ１）の肉厚より僅かに狭く設定される一方、上蓋（Ｂ１）の側縁が進入しやすいように、案内用斜面（２６）が設けられている。
【００２６】
この上蓋支持具（Ｂ）により支持される上蓋（Ｂ１）は、その周縁部が飼育容器本体側壁の上縁の上方に位置する大きさに形成されている。
【００２７】
而して、この上蓋支持具（Ｂ）を用いて前記上蓋（Ｂ１）を飼育容器本体上面開口に設置するに際しては、上蓋（Ｂ１）の一対の対向側縁を上蓋支持具（Ｂ）（Ｂ）の挟み込み部上下両片（２４）（２５）間に進入させて挟み込ませた後、上蓋支持具（Ｂ）を飼育容器本体側壁（５４）上縁に係止させることは先の実施形態と同様である。
【００２８】
先の実施形態の上蓋支持具（Ａ）との相違は、図５及び図７に示すように、上蓋（Ｂ１）が飼育容器本体（Ｓ）より浮き上がった状態に設置されるところにある。従って、この状態における上蓋（Ｂ１）と飼育容器本体（Ｓ）との間に形成される隙間は、上蓋（Ｂ１）と飼育容器本体側壁（５４）上縁との間に存在することになるので、上蓋上方からの塵埃やその他の異物の飼育容器本体への落下を防止することができる。
【００２９】
また、図８に示すように、上蓋（Ｂ１）を飼育容器本体から取り外すことなく、上蓋支持具（Ｂ）（Ｂ）と一緒に移動させることができるので、飼育容器本体内の簡単な清掃や設置物の位置変更を行う場合に至便である。
【００３０】
【発明の効果】
上述の次第で、第１の発明によれば、飼育容器側壁上縁部に係止される係止部の水平部から、内に向かって水平方向に突出する上蓋挟み込み部が突設されているので、予め上蓋の両側縁に一対の上蓋支持具を取り付けておいて、該上蓋支持具を上蓋ごと飼育容器本体に係止させることができ、飼育容器本体の上面開口が安定した状態で上蓋により覆われることはもとより、蓋体と飼育容器側壁との隙間の距離に拘わらず蓋体を飼育容器本体上面開口に設置しやすく、作業性の向上が図れる。
【００３１】
また、蓋体の対向する両側縁に一対の上蓋支持具を取り付けることにより、蓋体を飼育容器本体に設置することができるので、飼育容器本体コーナー部に４個の上蓋支持具を要するものに較べて部材点数を半分にすることができる。
【００３２】
前記係止部の水平部に、側壁上縁に係止された状態のもとで、側壁と挟み込み部との間に照明器具等の飼育容器附属品用支持具の係止部が挿入される切欠が設けられている場合には、上蓋と飼育容器本体側壁との隙間を可及的狭くして、飼育容器附属品用支持具取付用フック等を側壁に取り付けることができない場合にも、飼育容器附属品を取り付けることができるという利点を有する。
【００３３】
前記挟み込み部が、係止部上方に設けられかつ係止部水平部との間に隙間が設けられてなる場合には、上蓋周縁と側壁との間に隙間を設ける必要がなくなるので、上蓋の大きさを飼育容器本体の一対の側壁上に跨るような大きさとして、上蓋上方からの塵埃やその他の異物の飼育容器本体内への落下、進入をより一層防止することができる。
【００３４】
第２の発明に係る飼育容器は、記第１の発明に係る上蓋支持具が用いられて上蓋が取り付けられているので、第１の発明と同様の効果を奏する。
【図面の簡単な説明】
【図１】この発明に係る一実施形態の上蓋支持具及びこの上蓋支持具が用いられた上蓋付き飼育容器の斜視図である。
【図２】（イ）は、同上上蓋支持具の斜視図、（ロ）は、（イ）のＩＩ−ＩＩ線断面図である。
【図３】図１の照明器具の一部を省略したＩＩＩ−ＩＩＩ線断面図である。
【図４】（イ）は、同上上蓋支持具と共に用いられる照明器具支持具の斜視図、（ロ）は、（イ）のＩＶ−ＩＶ線断面図である。
【図５】この発明に係る他の実施形態の上蓋支持具及びこの上蓋支持具が用いられた上蓋付き飼育容器の斜視図である。
【図６】（イ）は、同上上蓋支持具の斜視図、（ロ）は、（ロ）は、（イ）のＶＩ−ＶＩ線断面図である。
【図７】図５のＶＩＩ−ＶＩＩ線断面図である。
【図８】図５の上蓋付飼育容器の上蓋を支持具と一緒に飼育容器の一側に移動させた状態の斜視図である。
【図９】（イ）は、従来の上蓋支持具が用いられた上蓋付飼育容器の平面図、（ロ）は、（イ）の要部の拡大斜視図である。
【図１０】（イ）は、従来の他の上蓋支持具が用いられた上蓋付飼育容器の平面図、（ロ）は、（イ）の要部の拡大斜視図である。
【符号の説明】
Ａ、Ｂ…上蓋支持具
Ｇ…照明器具支持具
１、２１…係止部
３、２３…水平部
４、２４…挟み込み部上片
５、２５…挟み込み部下片
７…切欠
１１…係止部
【図１】
2004357614.tif 000003
【図２】
2004357614.tif 000004
【図３】
2004357614.tif 000005
【図４】
2004357614.tif 000006
【図５】
2004357614.tif 000007
【図６】
2004357614.tif 000008
【図７】
2004357614.tif 000009
【図８】
2004357614.tif 000010
【図９】
2004357614.tif 000011
【図１０】
2004357614.tif 000012